(57)【特許請求の範囲】
【請求項１】
印刷又は塗装を施した合成樹脂シートを多次元的に絞り加工するに際し、トリミング用位置決めボス又はリブを同時に絞り加工する合成樹脂シートの絞り加工方法。
【請求項２】
印刷及びホットスタンプを施した合成樹脂シートを多次元的に絞り加工するに際し、トリミング用位置決めボス又はリブを同時に絞り加工する合成樹脂シートの絞り加工方法。
【請求項３】
印刷及び蒸着加工を施した合成樹脂シートを多次元的に絞り加工するに際し、トリミング用位置決めボス又はリブを同時に絞り加工する合成樹脂シートの絞り加工方法。
【発明の詳細な説明】
【０００１】
【発明の属する技術分野】
本発明は、自動車の計器盤の立体化文字板あるいはエアコンの立体化制御パネル、携帯電話の立体化キー等の立体的な文字板を合成樹脂シートから製造する場合に適用する合成樹脂シートの絞り加工方法に関するものである。尚、ここで言う立体化はシートの絞り加工によって行う。
【０００２】
【従来の技術】
自動車の計器盤の立体化文字板あるいはエアコンの制御パネルの立体化文字板等を合成樹脂シートから製造する場合、合成樹脂シートに印刷あるいは塗装によって目盛や文字などの絵柄を付与し、その後、真空成形や真空圧空成形あるいは突き出し成形等により該シートを多次元的に絞り加工する。
【０００３】
この絞り加工した合成樹脂シート成形品を所定の形状にプレス金型を用いてトリミング（打ち抜き）する。
【０００４】
このトリミングのためにプレス金型に設置された位置決めガイドピンに挿入するためのガイド穴をポサロックあるいはスパルタニクスと称する穴あけ機によってあける。
【０００５】
【発明が解決しようとする課題】
この穴あけの精度は通常±０．２ｍｍである。プレス打ち抜きされた製品が３ｃｍ×７ｃｍのものや、直径１０ｃｍ位のものであればこの精度で十分であるが、製品が大きくなったり、絞り加工を行ったものであるとそうではなくなる。特に絞り加工を行った製品では精度不十分になってしまう。
【０００６】
ここ数年の自動車業界における計器盤に使用する文字板は温度計、速度計、回転計、燃料計が一体となったものが多く（以後、「一体文字板」という）その大きさは例えば縦１３ｃｍ、横３４ｃｍの大型のものとなっている。この大きさの中に前記各計器が前記の順で横一直線に並んでいる。速度計と回転計の各中心にトリミングのためのガイド穴を設けるが、この時に穴あけ精度は前記のように±０．２ｍｍである。
【０００７】
速度計単体あるいは回転計単体のものであれば、この精度はそのどの位置をとってもほぼ±０．２ｍｍとなっている。ところが前記各計器が横一直線に並んだ一体文字板では様子が変わってくる。温度計、速度計、回転計、燃料計間の各間隔は温度計と速度計の間が８ｃｍ、速度計と回転計との間が１１．５ｃｍ、回転計と燃料計の間が８ｃｍとなっている（これらはいずれも中心間距離である）。
【０００８】
そこで例えば速度計の中心にあけるトリミング用ガイド穴が左に０．２ｍｍ、上方に０．２ｍｍずれてあけられ、回転計の中心のガイド穴が左に０．２ｍｍ、下方に０．２ｍｍずれてあけられると、速度計と回転計との間の相対的なズレは左右方向では０であるが、上下方向は０．４ｍｍとなる。このズレが左端、右端にある温度計、燃料計の位置では倍加され、温度計の中心は上方に０．４８ｍｍ、燃料計は下方に０．４８ｍｍのズレとなり、相対的には０．９６ｍｍのズレとなる。これは絞り加工を行った前記一体文字板でガイド穴をあける場合も同様である。
【０００９】
このような現象が起きるため、一体文字板の上からアッパーモールドと称するプラスチックの枠をかぶせようとした場合、絞り加工を行って、上方に約３ｍｍ突き出した各計器文字板に枠が接触したり、のりあげたりする。こうなると外観不良、あるいは組立不能になってしまう。又、数字や目盛、温度計や燃料計の絵マークもずれて見える。
【００１０】
トリミング用ガイド穴あけの精度は±０ｍｍもあれば、±０．１ｍｍの場合もある。前記のように±０．２ｍｍもあれば、時として±０．３ｍｍになる場合もあり、穴あけ精度が不安定で、それだけアッパーモールド枠と一体文字板との位置関係はばらついてしまう。
【００１１】
更に、絞り加工時に熱的作用により合成樹脂シート自体が伸縮するため、印刷で付与したトリミング用ガイド穴あけマークの位置がばらつき、そこに穴あけ精度のばらつきが加わると、アッパーモールド枠と一体文字板との位置関係精度は極めて悪くなる。
【００１２】
本発明は、以上の事情に鑑みてなされたもので、印刷、塗装、ホットスタンプ、蒸着加工等を施した合成樹脂シートを多次元的に絞り加工するに際し、絞り加工に対するトリミング用ガイド穴のズレをなくし、計器盤及びアッパーモールド枠に対する文字板のズレを少なくした合成樹脂シートの絞り加工方法を提供することを目的とする。
【００１３】
【課題を解決するための手段】
上記の目的を達成するために、本発明における請求項１の合成樹脂シートの絞り加工方法は、印刷又は塗装を施した合成樹脂シートを多次元的に絞り加工するに際し、トリミング用位置決めボス又はリブを同時に絞り加工するようにしている。
【００１４】
また、本発明における請求項２の合成樹脂シートの絞り加工方法は、印刷及びホットスタンプを施した合成樹脂シートを多次元的に絞り加工するに際し、トリミング用位置決めボス又はリブを同時に絞り加工するようにしている。
【００１５】
さらに、本発明における請求項３の合成樹脂シートの絞り加工方法は、印刷及び蒸着加工を施した合成樹脂シートを多次元的に絞り加工するに際し、トリミング用位置決めボス又はリブを同時に絞り加工するようにしている。
【００１６】
【作用】
上記の問題を解決するために発明者等は鋭意検討の結果、本発明に到達した。
【００１７】
トリミング用ガイド穴を絞り加工の後に別の工程としてあけるのでなく、トリミング用ガイドボス又はリブを全体の絞り加工と同時に絞り加工して設けるのである。
【００１８】
こうすることにより絞り加工に対するトリミング用ガイド穴のズレは略０になり、位置精度は著しく向上する。これにより計器盤及びアッパーモールド枠に対する文字板のズレは極めて少なくなり、位置外観及び組立性能が向上する。
【００１９】
文字板全体の絞り加工と同時にトリミング（打ち抜き）用位置決めボス又はリブを絞り加工により形成する。ボス又はリブの大きさ（直径と深さ）は任意でよいが、あまり小さいと使用している印刷又は塗装を施したプラスチックシートの厚さとの兼ね合いで、シートが破れたり、十分な安定したボス形状にならなかったりすることがある。大きいと絞りによるバラつきが発生し、位置決め用として適さなくなる。
【００２０】
【発明の実施の形態】
本発明の実施例について図面を参照しながら説明する。
【００２１】
（実施例）
図１に示すように、自動車用各計器を一体化した一体文字板１において、左側に温度計２と警告標識３と回転計４、右側に速度計５と警告標識６、燃料計７、中央上方に方向指示器８やその他の警告標識９を配置する。この一体文字板１の回転計４と速度計５はそれぞれ直径１０６ｍｍのものであり、１１５ｍｍ隔たっているが、その中央に内径４ｍｍ深さ４．５ｍｍのボス１０、１１を設ける（これにより計器外径とボスとの位置関係は常に一定に保たれる）。
【００２２】
前記標識や文字、目盛等を印刷したポリカーボネート製印刷シートの厚みは０．５ｍｍであり、これを所定温度に加熱した後、絞り加工金型に載置し真空成形を行った。
【００２３】
得られた立体化一体文字板１の温度計２、燃料計７の内直径は４８ｍｍ、外直径は５４ｍｍであり、高さは３．５ｍｍであった。速度計４と回転計５の中央に設けたボス１０、１１の内径は４ｍｍ、深さは４．５ｍｍであった。
【００２４】
このボス１０、１１をガイドにして上記の立体化一体文字板１をトリミング用金型に設置し、トリミング（打ち抜き）を行うことにより、図２に示すように、縦１３．２ｃｍ、横３４．１ｃｍの一体文字板１’を得た。これを計器板に設置したところ、温度計や速度計等の絞り部は相手モールドに接触することなく接合し、アッパーモールド枠を設置してそれらに対する温度計２及び燃料計７のズレを測定したところ前者が上方へ０．１ｍｍ、後者が下方へ０．１ｍｍの値を示した。
【００２５】
警告標識３、６、９や目盛、文字等の位置外観はズレを感じることなく見栄えのある外観を示した。
【００２６】
（比較例）
実施例において、絞り加工で賦形した位置決め用ボスを用いず、トリミング用ガイドマークによって、ガイド穴をポサロック穴あけ機を用いて開けた。回転計の中心のガイド穴が下方に０．２ｍｍ、速度計の中心のガイド穴が上方に０．２ｍｍずれていて、このガイド穴を使ってトリミングを行い、一体文字板を得たが、この物の位置精度を計測器にセットし、ズレを測定したところ、温度計、燃料計の各中心でそれぞれ０．４８ｍｍのズレを示し、相対的には０．９６ｍｍのズレを示した。
【００２７】
アッパーモールド枠をはめこもうとしたが、燃料計、温度計の絞り部にのりあげ、はめこみ不能であった。
【発明の効果】
本発明は以上説明したように構成されているので、以下に記載されるように優れた効果を奏する。
【００２８】
(1)技術の平易性
本発明の技術は製品の立体化加工（絞り加工）時にトリミング用ガイドボス又はリブを同時に絞り加工するというもので絞り用金型にガイドボス又はリブの加工を施しておけば製品と同時に絞り加工されるものであり、他の工程をとることもなく極めて平易に行われるものである。
【００２９】
(2)低コスト性
トリミング用穴あけ工程が不要になり、１工程削減出来るので加工費の減少をもたらし、コスト低減をもたらす。
【００３０】
また、トリミング用穴あけに対し精度が向上する分、不良率が低減しコストが低減する。
【００３１】
(3)外観性能の向上
トリミング用ガイド穴あけ方式に比べ、本技術によるとズレが殆どなく、外観性能が向上する。
【図面の簡単な説明】
【図１】本発明により絞り加工を行ったガイドボスを有するトリミング前の自動車計器盤用一体文字板の全体図である。
【図２】本発明におけるトリミング後の自動車計器盤用一体文字板の全体図である。
【符号の説明】
１…一体文字板
１’…トリミング（打ち抜き）された一体文字板
２…絞り加工された温度計の表示
３…警告標識の表示
４…絞り加工された回転計の表示
５…絞り加工された速度計の表示
６…警告標識
７…絞り加工された燃料計の表示
８…方向指示器の表示
９…その他の警告標識
１０…絞り加工されたガイド用ボス
１１…絞り加工されたガイド用ボス
【図１】
0003668969.tif 000002
【図２】
0003668969.tif 000003